(57)【要約】  本発明は、特に外乱が時間変化外乱である場合に、光リンクでの外乱の位置を評価するための方法及び装置に関する。一連の低コヒーレンステストパルスが光リンクに入れられ、後方散乱帰還信号が監視される、光時間領域反射率測定法である。テストパルスは不均衡マッハツェンダー干渉計を通過し、テストパルスごとに、１組の時間変位されたパルスコピーがリンク上に開始される結果となる。後方散乱帰還信号は同じ干渉計を通過し、各組のパルスコピーに再調整させ、互いに干渉させる。時間変化外乱は１組の各パルスコピーに異なる影響を及ぼす可能性がある。その結果、ステップ等の異常が後方散乱信号で発生する可能性がある。異常の時間位置から、関与する外乱の距離が評価される。
2007530970.tif 000002
【特許請求の範囲】
【請求項１】
伝送リンク上での時間変化外乱の位置を評価する方法であって、
１組の信号コピーがあるようにソースから出力信号を少なくとも部分的にコピーするステップと、
前記信号コピーを前記伝送リンク上に送信するステップと、
前記伝送リンクから少なくとも部分的に以前にその上で送信された帰還信号コピーを受信するステップと、
組み合わせ信号を生じさせるために送信された組の前記受信された信号コピーを結合するステップと、
前記伝送リンク上の前記外乱の位置を評価するために前記組み合わせ信号の時間特性を使用するステップと、を含む方法。
【請求項２】
前記時間特性は、外乱特長が前記組み合わせ信号で発生する時間を含む、請求項１に記載の方法。
【請求項３】
信号コピーが、前記信号コピーが前記伝送リンクに沿って移動するにつれ分散後方散乱のプロセスにより返される、請求項１又は請求項２に記載の方法。
【請求項４】
前記ソースは、光パルスの形式を有する出力信号を生じさせるように構成され、各光パルスが、パルスが前記伝送リンクに沿って移動するにつれ経時的に分散される組み合わせ信号を引き起こす、請求項３に記載の方法。
【請求項５】
前記組み合わせ信号は、間隙を介した時間位置の第１の集合と、時間位置の第２の集合でサンプリングされ、第１のサンプリングされた集合と第２のサンプリングされた集合は比較ステップで比較される、請求項１乃至請求項４のいずれか１項に記載の方法。
【請求項６】
前記第１の集合と第２の集合の時間位置はインタリーブされる、請求項５に記載の方法。
【請求項７】
前記比較ステップは、前記第１の集合と第２の集合の間の差異に少なくとも部分的に依存するデータの集合を生成することを含む、請求項５又は請求項６に記載の方法。
【請求項８】
前記信号コピーは、前記光伝送リンクの共通伝送媒体に沿って伝送される、請求項１乃至請求項７のいずれか１項に記載の方法。
【請求項９】
１組の信号コピーが、互いを基準にした遅延差のある前記伝送リンクに沿って移動する、請求項１乃至請求項８のいずれか１項に記載の方法。
【請求項１０】
前記遅延差は光学ソースに結合された不均衡干渉計で引き起こされ、前記干渉計は第１の経路と第２の経路を有し、前記第１の経路の遷移時間は前記第２の経路の遷移時間より長く、１組の信号コピーは互いにとって異なるそれぞれの経路に沿って移動させられる、請求項９に記載の方法。
【請求項１１】
前記干渉計は、前記ソースに結合される第１の結合段階を有し、前記第１の信号コピーと第２の信号コピーを形成するために、前記結合段階は入信放射線強度の一部を前記ソースから一方の経路に沿って、前記入信放射線強度の別の部分を他方の経路に沿って向けるように構成される、請求項１０に記載の方法。
【請求項１２】
前記干渉計は前記第１の経路と第２の経路からの放射線を結合するため、及び前記共通通信リンクに前記結合された放射線を結合するための第２の結合段階を有する、請求項１１に記載の方法。
【請求項１３】
前記第２のロケーションから返される前記信号は、それぞれ第２の結合段階によって前記第１の経路と第２の経路に沿って向けられ、前記このように向けられた信号は以後前記第１の結合段階で結合される、請求項１２に記載の方法。
【請求項１４】
１組の前記信号コピーが、第１のロケーションにおいて互いに遅延され、前記第１のロケーションから離れた第２のロケーションにおいて外乱が検出可能である、請求項１乃至請求項１３のいずれか１項に記載の方法。
【請求項１５】
１組の前記信号コピーのそれぞれが検出された外乱により外乱される、請求項１乃至請求項１４のいずれか１項に記載の方法。
【請求項１６】
１組の前記信号コピーは前記伝送リンクに沿って同じ向きで移動する、請求項１乃至請求項１５のいずれか１項に記載の方法。
【請求項１７】
前記出力信号は、１ピコ秒未満の該信号と関連付けられる平均位相コヒーレンス時間を有する、請求項１乃至請求項１６のいずれか１項に記載の方法。
【請求項１８】
１組の前記信号コピーは、該コピーと関連付けられる遅延差時間を有し、前記遅延時間が少なくとも１０００という因数分、平均位相コヒーレンス時間より大きい、請求項１７に記載の方法。
【請求項１９】
前記伝送リンクは誘導トラックに沿って延在する光チャネルを含み、前記誘導トラックは車両の移動を誘導するように構成され、前記チャネルは、前記車両の移動が前記光チャネルに沿って外乱を引き起こすように構成される、請求項１乃至請求項１８のいずれか１項に記載の方法。
【請求項２０】
前記光チャネルの前記経路は周期的に前記トラックを交差する、請求項１９に記載の方法。
【請求項２１】
前記誘導トラックは、列車の移動を誘導するための１つ以上のレールの形を有する、請求項１９又は請求項２０に記載の方法。
【請求項２２】
伝送リンク上の時間変化外乱の位置を評価するための装置であって、前記装置は、１組の信号コピーがあるようにソースからの出力信号を少なくとも部分的にコピーするための手段と、前記伝送リンクの上に前記信号コピーを送信するための手段と、前記伝送リンク上で以前に送信された帰還信号コピーを少なくとも部分的に前記伝送リンクから受信するための手段と、組み合わせ信号を生じさせるために送信済みの組の前記受信信号コピーを結合するための手段と、時間の関数として前記組み合わせ信号を監視するための監視手段とを含む、装置。
【請求項２３】
前記監視手段は、時間の関数として前記組み合わせ信号を表示するためのディスプレイ装置を含む、請求項２２に記載の装置。
【請求項２４】
遅延手段が互いを基準にして１組の前記信号コピーを遅延するために設けられる、請求項２２又は請求項２３に記載の装置。
【請求項２５】
前記遅延手段は干渉計段階によって提供され、前記干渉計段階は、第１の伝送レッグ及び第２の伝送レッグと、前記第１のレッグと第２のレッグに、又は前記第１のレッグと第２のレッグから結合するための結合手段とを有し、出力信号をコピーするための前記手段と、前記受信された信号コピーを結合するための前記手段が、前記結合手段により共通に形成される、請求項２４に記載の装置。
【請求項２６】
伝送リンクを監視するための監視ステーションであって、前記監視ステーションは、出力信号を生成するためのソースと、出力信号ごとに１組の信号コピーがあるように前記ソースから前記出力信号を少なくとも部分的にコピーするための干渉計段階と、前記伝送リンク上に前記信号コピーを開始するための出力と、プロセッサ回路を有し、前記干渉計段階は、分散後方散乱のプロセスにより返される信号コピーを前記リンクから受信し、干渉信号を生じさせるために前記信号コピーを結合するように構成され、前記プロセッサ回路は前記帰還信号の時間特性の表示に関連して前記干渉信号を記憶するように構成される監視ステーション。
【請求項２７】
前記干渉信号は、時間とともに変化する時間分散信号であり、時間特性は前記帰還信号の前記時間変動である、請求項２６に記載の監視ステーション。
【請求項２８】
前記干渉信号は時間分散信号であり、前記プロセッサ回路は周期的に前記干渉信号をサンプリングし、サンプルごとにそれぞれの再帰時間と関連して前記サンプルを記憶するように構成される、請求項２６又は請求項２７に記載の監視ステーション。
【請求項２９】
前記ソースは光パルスソースである、請求項２６乃至請求項２８のいずれか１項に記載の監視ステーション。
【請求項３０】
移動する車両の位置を検知するための検知システムであって、前記検知システムは、前記車両の移動を誘導するための誘導トラックと、前記誘導トラックに沿って延在する光チャネルと、前記光チャネルに結合された監視装置とを有し、前記光チャネルは、前記車両の移動により前記光チャネルに沿った移動外乱が引き起こされるように前記誘導トラックに機械的に結合され、前記監視装置は、（ｉ）前記移動外乱を示す前記光チャネルから光信号を検出し、（ｉｉ）前記光信号の少なくとも１つの時間特性を評価し、（ｉｉｉ）前記トラックに沿った前記車両の位置が検知できるように、前記評価された時間特性に依存して、前記チャネルに沿った前記移動する外乱の前記位置の表示を決定するように構成される、検知システム。
【請求項３１】
誘導トラックに沿って移動する車両の位置を検知する方法であって、前記誘導トラックに沿って延在する光チャネルが設けられ、監視装置が前記光チャネルに結合され、前記光チャネルは、前記車両の移動により前記光チャネルに沿って移動外乱が引き起こされるように誘導トラックに機械的に結合され、
（ｉ）前記移動外乱を示す光チャネルからの光信号を検出するステップと、
（ｉｉ）前記光信号の少なくとも１つの時間特性を評価するステップと、
（ｉｉｉ）前記評価された時間特性に依存して、前記チャネルに沿った前記移動外乱の前記位置の表示を決定するステップと、
（ｉｖ）前記光チャネルに沿った前記外乱の前記位置から前記車両の位置を推論するステップとを含む、方法。
【請求項３２】
伝送リンクを監視し、前記リンクの物理的かく乱を検出する方法であって、
１組の信号コピーがあるようにソースから出力信号を少なくとも部分的にコピーするステップと、
共通通信リンク上に前記信号コピーを送信するステップと、
伝送リンク上を以前に送信された少なくとも部分的に反射されたコピーを前記伝送リンクから受信するステップと、
組み合わせ信号を生成するために１組の前記受信された信号コピーを結合するステップと、
外乱特長から外乱の存在が推論できる、前記組み合わせ信号における外乱特長を検出するために前記組み合わせ信号を監視するステップと、
前記組み合わせ信号の時間特性から、前記通信リンク上での前記外乱の位置を推測するステップとを含む、方法。
【発明の詳細な説明】
【技術分野】
【０００１】
本発明は、伝送リンク上の外乱(disturbance)の位置を、特に外乱が時間変化外乱である場合に評価するための方法及び装置に関する。
【背景技術】
【０００２】
導波管内の不整の位置を、導波管内でテストパルスを開始し、もしあれば、帰還信号の時間依存性の異常を検出するためにテストパルスの分散された後方散乱を監視することにより、推定することが公知である。異常の例は帰還信号の時間に依存した振幅の階段状変化となるであろう。しかしながら、このような公知の光時間領域反射率測定法（ＯＴＤＲ）技法は時間変化外乱を検出するのに適していない。
【発明の開示】
【０００３】
本発明によると、伝送リンク上での時間変化外乱(disturbance)の位置を評価する方法が提供される。この方法は、１組の信号コピーがあるようにソースから出力信号を少なくとも部分的にコピーするステップと、伝送リンク上に信号コピーを送信するステップと、伝送リンクから、以前にその上で送信された帰還信号コピーを少なくとも部分的に受信するステップと、組み合わせ信号を生じさせるために送信された組の受信信号コピーを組み合わせるステップと、通信リンク上での外乱の位置を評価するために組み合わせ信号の時間特性を使用するステップと、を含む。
【０００４】
出力信号のコピーは組み合わせ信号を生じさせるために結合されるため、これらのコピーの内の少なくとも１つの修正は組み合わせ信号の変化を生じさせ、それにより時間変化外乱の評価を促進する可能性が高い。
【０００５】
好ましくは、伝送リンクは光ファイバのような光導波管であろう。リンクの動的外乱又は他の時間変化する外乱は、通常、音響振動又は他の振動のような物理的かく乱であろう。物理的かく乱は伝送リンクの光媒質の歪み又は弾性波を生じさせ、それによりリンクに沿って移動する信号コピーの内の少なくとも１つの位相を変更する可能性が高い。動的外乱は静止している、つまり定常点に位置してもよい。代わりに動的外乱は光導波管に沿って移動してもよい。
【０００６】
好ましくは、信号は、例えばレイリー後方散乱等の分散後方散乱のプロセスにより返され、その結果この信号は、信号が導波管に沿って伝播するにつれて漸次的に返される。通常、これは経時的に分散される組み合わせ信号を生じさせる。好ましくは、組み合わせ信号はその中の外乱特長を検出するために監視され、その外乱特長から外乱の存在が推論されてよい。
【０００７】
外乱特長の一例は、例えば時間に関する階段状変化(step change)等、組み合わせ信号の振幅の変化であってよい。組み合わせ信号はトレース式で時間の関数としてディスプレイ装置に表示されてよく、外乱の発生をトレースから視覚的に推論できるようにする。しかしながら、組み合わせ信号は外乱特長のさらに微妙な特性を検出するために分析されてよい。
【０００８】
組み合わせ信号の時間特性は、外乱特長と関連付けられた再帰時間、特に外乱特長に関与する（いったん結合された）帰還信号コピーの到着時間であってよく、この時間は、物理的かく乱の位置まで、及び物理的かく乱の位置から光が伝播する、往復時間である。一実施形態では、ソースからのパルスが時間分散組み合わせ信号を生じさせ、組み合わせ信号は基準時間からの経過時間の関数として監視され、その基準時間は、パルスが発生する時間に関連する。
【０００９】
ソースからの出力信号は、好ましくは不規則な成分を有し、その場合ソースから出力信号を少なくとも部分的にコピーするステップは、好ましくは、不規則な成分が１組の信号コピーのそれぞれに共通となる結果をもたらす。信号の他の特性は、それぞれの信号コピーで同じである必要はない。例えば、信号コピーは異なる振幅を有してよい。不規則な成分は好ましくは無作為又は擬似ランダム（擬似ランダムによって、理論上、成分が予測可能であっても、実際にはこれを行うために必要とされる時間又は処理能力により予測することが不可能になることが意味される）であろう。出力信号が波形を有する場合、波形が無作為に発生する位相変化を有する場合には、不規則な成分は波形の位相により提供されてよい。波形は便宜上、好ましくは１０ピコ秒未満、あるいは１ピコ秒未満である、短いコヒーレンス時間を有する光学ソースにより提供されてよい。組み合わせ信号は好ましくは２つの波形の干渉又は混合から生じる干渉信号となる。
【００１０】
好ましくは、信号コピーは互いを基準にした時間遅延を伴い伝送リンクに沿って送信され、その結果、先導するコピーと後続のコピーがある。次に、返される先導コピーは、以前の後続コピーを基準にして遅延することがあり、その結果両方のコピーは、実質的に互いとと歩調を合わせて結合できる。
【００１１】
好ましい実施形態では、これは不均衡マッハツェンダー干渉計のような干渉計の段階を使用して達成される。好ましい実施形態では、光学ソースからの出力は干渉計に送られ、そこで信号はコピーされ、１つのコピーが干渉計の１つの経路に向けられ、その結果信号コピーが干渉計段階から送信される時間との間で相対的な結果遅延又は遅延差結果が生じるように、各経路と関連付けられた遷移時間は異なる。外部方向で課される相対遅延は戻り方向で課される相対遅延と同じとなり、これは各ケースで２つの経路の遷移時間の差異により決定されるため、同じ干渉計段階は、次に帰還信号コピーを特に便利な方法で再調整するために利用できる。
【００１２】
遅延差は、好ましくは少なくとも部分的にソースの平均コヒーレンス時間に依存して選ばれる。遅延差は好ましくはコヒーレンス時間よりはるかに長くなる。好ましくは、コヒーレンス時間対遅延差の比率は１０３より大きい又は等しくなるが、好ましくは１０５、又はさらに好ましくは１０７となるであろう。
【００１３】
出力信号をコピーするステップと、信号を送信するステップは、好ましくは第１のロケーションで実行され、外乱は第１のロケーションから少なくとも１ｋｍ又は少なくとも１０ｋｍの距離でも検出可能なままである。
【００１４】
伝送リンクは誘導トラックに沿って延びる光チャネルを含んでよく、誘導トラックは移動する車両の動きを誘導するように構成される。このようにして、伝送リンクは伝送リンクに沿って移動するように誘導された車両の動きを監視するために使用されてよい。
【００１５】
好ましくは、光チャネルはトラックに対して機械的に結合された関係にあり、その結果車両の動きが光チャネルに沿った外乱を引き起こす。光チャネルはトラックに直接的に結合される必要はなく、例えば地面を介して間接的に結合されてよい。例えば、光チャネルは、必ずしも固定されずにトラックに隣接する地面上、又はダクト内にあるだけでもよい。しかしながら、機械的な結合のため、振動又はトラックに沿った車両の動きにより生じた音響外乱のような他の外乱が、伝送リンクで（減衰されている、あるいは修正されているとしても）対応する外乱を引き起こす可能性があり、この外乱は車両と同じ速度で連続してリンクに沿って移動する。
【００１６】
光チャネルに対する音響結合は特定の結合点で強化される必要はない（が、強化されてもよい）ため、及び代わりにトラックとチャネル間の媒質によって提供される連続的な結合で通常十分であるため、既存のトラック側ファイバケーブルにより提供される光チャネルは便利に使用されてよい。代わりに、既存のトラック側のダクト内に設置される新しいケーブルが利用されてもよい。
【００１７】
誘導トラックは、好ましくは１つ以上のレールの形式を有し、そのレールは通常列車の動きを誘導する。列車によって生じる振動が大きくなり、それによりこのような車両の位置をさらに容易に検出できるようにする可能性があるため、この構成は特に便利である。
【００１８】
本発明の追加の態様は添付の特許請求の範囲に提供される。本発明は、以下の図面を参照してほんの一例としてさらに詳しく後述される。
【発明を実施するための最良の形態】
【００１９】
外乱の位置の推定
図１は、監視ステーション１２が光ファイバ１６に接続されている検知システム１０を示す。ファイバに沿ったロケーションが決定されなければならない動的外乱(disturbance)が、Ｘと呼ばれるポイントでファイバに導入される。大まかに言えば、監視ステーション１２は、ファイバ１６の上に検知信号を送信するように構成され、その検知信号は動的外乱によって位相変化を被る。検知信号の成分は、ファイバに沿ってレイリー後方散乱のプロセスにより返される。監視ステーション１２に返される後方散乱成分は、次に、動的外乱により引き起こされた位相変化を区別するために処理される。ファイバの異なる領域から返される後方散乱成分は異なるときに監視ステーション１２に達するため、外乱の位置は変調済みの後方散乱成分の帰還時から決定される。
【００２０】
監視ステーション１２は、短いコヒーレント時間（出力での無作為な位相変化が信号に不規則な成分を提供する）の光パルス源１８を含み、パルス源はドライバユニット１１８によって駆動されている。光学ソース１８からのパルスは、干渉計段階２０、ここでは第１の経路２４と第２の経路２６を備えるマッハツェンダー干渉計に送られ、経路２４、２６はそれぞれの第１の結合段階と第２の結合段階２８、３０によってそれぞれの端部で結合される。外部方向で移動する光の場合、第１の結合段階２８は指向性のパワー（強度）スプリッタの機能を果たし、光学ソース１８から経路２４、２６のそれぞれに光を向け、各経路に対する電力は所定の方法で共用される（ここでは、異なる比率も試用できるであろうが、第１の結合段階が５０：５０のパワースプリッタとしての機能を果たす）。
【００２１】
このようにして、光学ソース１８によって提供される各パルスの場合、そのパルスは、第１のコピーと第２のコピーがあるようにコピーされ、第１のコピーと第２のコピーはこの例では互いの複製である。他方のコピーは第２の経路２６に沿って移動するが、一方のコピーは第１の経路２４に沿って移動する。第２の結合段階３０は干渉計の出力３５に結合され、この出力はファイバ１６に接続される。第２の結合段階３０は、外部方向で移動する光のためのコンバイナとしての機能を果たし、第１の経路と第２の経路から干渉計出力３５に光を向ける。干渉計の第１の経路は、第１の結合段階と第２の結合段階２８、３０の間でそれに沿って移動する光の遷移時間を増加するための遅延段階３４を有し、結合段階２８、３０の間で移動する光の遷移時間は、第２の経路２６に沿ってより第１の通路２４に沿っての方が長くなる。したがって、光学ソースにより生じる各パルスにとって、干渉計２０は遅延時間Ｄにより、他のパルスコピーを基準にしてパルスコピーの内の１つを遅延するのに役立ち、パルスコピーは互いに対して異なるときに光ファイバネットワーク１６に送信される。
【００２２】
戻り方向で移動する信号の場合、第２の結合段階３０は、（光学ソース１８から）順方向での光に対する第１の結合段階２８の作用と同様にパワースプリッタとして機能を果たす。このようにして、帰還信号の強度は第２の結合段階３０で分割され、他方の部分は第２の経路２６に沿って向けられるが、一方の部分は第１の経路２４に沿って向けられる。第１の結合段階２８は、次に戻り方向の第１の経路と第２の経路からの光を結合する働きをし、結合された光を干渉（組み合わせ）信号として、第１の結合段階２８の出力に結合された信号処理システム２９に向ける。
【００２３】
信号処理システムは、光信号を電気信号に変換するために第１の結合段階２８に結合された受光器５１と、受光器５１から電気信号を受信し、電気信号をフィルタリングするためのフィルタ５２と、フィルタリングされた電気信号を処理するための第１の信号処理ユニット５４と、電気信号のさらに詳細な処理を実行するための任意のさらなる処理ユニット５４０とを含む。フィルタ５２の帯域幅（約１ＭＨｚ）は、外部騒音を最小限に抑えるために予想信号の帯域幅に適合される。
【００２４】
受光器５１は、図４にさらに詳細に示されている。カプラ２８からの光は、可変利得電流帰還増幅器７０６に送られる前に、フォトトランジスタ７０２、ここではバッファとしての役割を果たすバイポーラトランジスタ７０４に送られる、電気的な出力を生じさせるＰＩＮ−ＦＥＴに入射する。光源１８は幅広く円滑なパワースペクトル及び約０．５ｐｓ以下という短いコヒーレント時間を有するため、光源１８は発光ダイオード、エルビウムでドーピングされたファイバ増幅器等の増幅された自然放出のソース、半導体光増幅器、又はスーパー発光ダイオード（Ｓｕｐｅｒ  Ｌｕｍｉｎｅｓｃｅｎｔ  Ｄｉｏｄｅ）であってよい。しかしながら、図５に関して後述されるように、ファブリー−ペローレーザダイオードが好ましい。
【００２５】
光学ソースにより生じる放射線は非偏光であってよい、あるいは代わりに、光が干渉計に入射される前に、光を偏光解消するために偏光解消ユニット４３が光源と干渉計の間に設けられてよい（偏光解消ユニットは例えばファイバリオ偏光解消器（ｄｅ−ｐｏｌａｒｉｚｅｒ）であってよい）。偏光コントローラ又は偏光解消器４９は、干渉計の経路の内の１つ、ここでは第１の経路に設けられてよく、その結果第１のカプラ２８での戻り方向で結合する第１の経路からの光の偏光は、少なくとも部分的に他方の経路からの光の偏光と位置合わせされている。偏光解消器は、帰還後方散乱信号における任意の偏光構造を効果的にスクランブルし、損失欠陥を検出するのをはるかに容易にするという利点も有する。
【００２６】
通常、ソースは、標準的な電気通信光ファイバを効率的に使用するために１ミクロンから２ミクロンの間、好ましくは約１．３ミクロン又は１．５５ミクロンの波長で動作し、このようなファイバはこの波長での単一モード伝送を支持するように構成されている。通常、ファイバは約９ミクロン又は１０ミクロンである直径の単一コアを有する。
【００２７】
監視ステーション１２の動作は、ファイバ上の特定のポイントから返される、外に向かうパルスコピーの帰還成分を考慮することによって最もよく理解できる。ソース１８によって生じるパルスごとに、４つの結果として生じる信号がある。つまり、順方向と逆方向両方で干渉計２０の第２の経路２６に沿って移動した遅延していない（ｎｏｎ−ｒｅｔａｒｄｅｄ）信号Ｓ０、順方向で（しかし、逆方向ではなく）遅延Ｄ分遅延された第１の遅延信号Ｓ１、逆方向で（しかし、順方向ではなく）遅延Ｄ分遅延された第２の遅延信号Ｓ２、及び遅延２Ｄ分遅延された二倍遅延信号Ｓ３であって、信号Ｓ３は順方向と逆方向のそれぞれで遅延する。
【００２８】
一方向で遅延した第１の遅延信号と第２の遅延信号Ｓ１、Ｓ２だけが、同時に第１の結合段階２８に返される。ファイバ１６に任意のいかなる外乱もない場合、これらの信号は互いのコピーであり（つまり同じ位相又は同じ位相変化を有し）、信号は第１の結合段階２８で干渉する、あるいはそれ以外の場合建設的に結合する。しかしながら、信号Ｓ１、Ｓ２の組の一方が、（動的外乱で起こる可能性があるように）組の他方を基準にして修正される場合、信号Ｓ１、Ｓ２はもはや建設的に干渉しない。これは、第１の結合段階からの干渉信号の変化を生じさせる。特に、信号Ｓ１、Ｓ２の相対的な位相変化は、第１の結合段階の出力での干渉信号の振幅変化を生じさせる。
【００２９】
ファイバを通って移動する光の位相変化は通常、物理的動乱によって達成される。これは、（例えば変位、音波又は超音波あるいは他の振動によって引き起こされる）物理的動乱が、光ファイバ又は他の光リンクの伝送特性の変化を生じさせる可能性があるためである。特に、衝撃によって引き起こされる等の物理的動乱は、屈折率及び偏光の変化、又は物理的な長さの変化、あるいはこれらの組み合わせのいずれかによって、ファイバの光伝播媒質（通常は、ファイバのシリカガラスコア）の不自然な領域における光路長を変更する、時間変化歪みを生じさせる可能性がある。
【００３０】
ソースにより生じるパルスごとに、干渉信号がファイバに沿ってパルスコピーの遷移時間に対応する時間に渡って分散される。図８ａのトレースＡは、送信されたパルスから生じる干渉信号（Ｉ）が、ソースからのパルスの伝送からの経過時間に伴いどのように変化するのかを示している（トレースＢはさらに強力な外乱用である）。ここでは、トレースに沿った各ポイントは、関与する信号が返されたファイバに沿った位置に一致する。
【００３１】
当初、パルスコピーは後方散乱又は損失を通してほとんど減衰を被らないであろう。したがって、パルスの強度に関係する後方散乱成分の強度は高く、干渉信号も高い。パルスコピーがファイバに沿って移動するにつれ、後方散乱成分だけではなくパルスも減衰され、干渉信号は時間とともに減少する結果となる。
【００３２】
時間ｔ１の後、帰還後方散乱成分が、位置Ｘを超えて移動してきたパルスから生じるであろう。パルスコピー又は後方散乱成分が位置Ｘを通過すると、パルスコピーから生じる後方散乱成分の位相は外乱により影響を及ぼされる。外乱は時間とともに変化するため、パルスの既定の組の後方散乱成分の相対的な位相は変化し、時間ｔ１での干渉信号に急な変化を生じさせる。同様に、Ｘを超えて移動してきたパルスの帰還成分も影響を受けるであろう。したがって、時間ｔ１後、トレースは階段状にシフトされたままとなる。時間ｔ１は第１の検知位置へ向かい且つ戻る往復時間に相当するため、ポイントＸのファイバ経路に沿った距離はｔ１の値（又は、オフセット、例えば干渉計の遅延線３４によるオフセットを含む基準時間を基準にした値ｔ１）から推論できる。
【００３３】
図８ａのトレースを見るために、処理ユニット５４は、プロセッサ／メモリ回路５５を含む。プロセッサ／メモリ回路は、ソース１８を駆動する電気パルス信号にアクセスするために光学ソース１８のドライバ１１８に接続される。プロセッサ／メモリ回路は、ソースからの各パルスの伝送の後に経過した時間を示すタイマユニット５７を含み、タイマユニットは、新しい光パルスが開始されると、パルス信号を使用してリセットするように構成されている。プロセッサ／メモリ回路５５は、電気ドメインにおいて干渉信号を受信するため、及びパルスの発生からの経過時間の関数として各パルスからの信号を記憶するために、帯域通過増幅器５１に接続されている。時間の関数として干渉信号を記憶するためには、プロセッサ／メモリ回路５５は干渉信号を周期的にサンプリングし、関連付けられた再帰時間とともに各サンプルを記憶するように構成される。記憶された干渉信号は、次に、観察器１０１で見ることができる。しかしながら、干渉信号は例えば陰極線管の残留磁化（ｒｅｍｎａｎｃｅ）を通して等、一時的に記憶されてよい。
【００３４】
ソースからのパルスは、好ましくは１ｍｓごとに繰り返し送信され、各パルスの持続時間は１μｓである。代わりに、さらに高い解像度の場合、パルスは０．５μｓの長さであってよい。
【００３５】
さらに短い長さの場合、及び外乱が小さい（つまり、ファイバ位相変化が線形に応答する）ときには、干渉計システムは、外乱周波数が低いとあまり敏感ではないため、遅延線は、好ましくは少なくとも２０ｋｍとなる。（約１００μｓという遅延に相当する）約２０ｋｍという遅延線を用いると、パルスは通常、１ｍｓごとに送信された１μｓ期間であるため、パルス（信号）コピーは、それらがファイバに沿って移動するにつれて空間的にはっきりと区別できるようになる。しかしながら、さらに長いパルス、又は遅延がさらに短い場合には、信号コピーが互いの上にある可能性がある。連続信号の場合、連続信号は連続波形として継ぎ目なく接合されるため、信号はそれぞれ別個のエンティティではない。
【００３６】
一実施形態では、外乱の発生は、まず、子端末局(outstation)１４に位置するファイバの鏡端面３２から反射された連続光信号を使用して検出される。本来、図１の装置は、パルスよりむしろ連続信号を生じさせるソースと共に使用できる。信号は子端末局から返され、パルスと同様に干渉計で再結合される。しかしながら、連続信号を用いる場合、後方散乱パルスに必要とされる帯域幅より低い帯域幅（約１００ｋＨｚ）を有する帯域通過増幅器５２が使用でき、干渉信号の雑音がより少なく、それにより外乱のより敏感な検出を可能とする結果となる。さらに、連続信号を用いると、外乱の検出に位置解像度が必要とされないため、帰還信号はある期間に渡って積分できる。いったん外乱が検出されると、その位置は前記に説明されたように確立できる。それにも関わらず、図８ａから明らかであるように、連続信号よりむしろパルスを使用して外乱の発生自体を決定できる。
【００３７】
図２は、追加の信号処理ユニット５４０を示す。第１信号処理ユニット５４と同様に、追加の信号処理ユニット５４０は、光時間領域反射率測定法（ＯＴＤＲ）に基づいて、リンク１６に沿った１つ以上の外乱の距離を評価するために適切である。図１では、追加の信号処理ユニット５４０は第１の処理ユニット５４に対する追加ユニットとして示されているが、実際には、追加の処理ユニット５４０だけが監視ステーションで実現されてよい。
【００３８】
大まかに言えば、追加の信号処理ユニット５４０は、第２のロケーションから発する干渉を使用して第１のロケーションから生じる干渉信号を処理するように構成され、第２のロケーションは第１のロケーションの上流に（つまり、第１のロケーションより監視ステーションのより近くに）配置される。実際には、これは、第１の時間に、及び第２の時間に帰還信号をサンプリングし、２つのサンプリングされた信号の差異を評価することにより行われる。この手法は、パルス（及びその帰還成分）が第２のロケーションに達するために第１のロケーションを通過するため、第１のロケーションからの干渉信号が第２のロケーションからの寄与を含むことがあることを認識している。不必要な処理を回避するために、各ロケーションは（パルス時間幅により決定される）分解能セルと関連付けられ、第１のロケーションと第２のロケーションは近接する分解能セルに対応する。ファイバの長さに沿った隣接する分解能セルからの干渉信号の間の差異は、このようにして評価できる。
【００３９】
信号処理ユニット５４０は、サンプリングユニット５４２、ここではアナログ微分サンプル保持回路を含み、この回路は入力５４３でフィルタ５２に接続される。サンプリングユニット５４２は、ＭＺカプラ２８から、特に同様に受光器５１から信号を受信するフィルタ５２から、入信信号をサンプリングするように構成される。サンプリングユニット５４２は、相隔たる時間位置で入信信号をサンプリングするように構成されたサンプリング段階５４４と、相隔たる位置で以前にサンプリングされた信号を位置合わせするための位置合わせ段階５４６と、再調整された信号を、特に信号間の差異を評価するために比較するための比較段階５４８とを含む。比較段階５４８からの信号は、特に比較段階５４８からの出力信号が閾値を超えて中心値から逸脱する場合に、信号出力５５２で出力を生じさせるように構成されたウィンドウ検出器回路５５０に渡される。
【００４０】
タイミング制御回路５６０は、各トリガ信号に応えてソースがパルスを発するように、光学ソース１８のドライバユニットをトリガするためのトリガ信号５６１を提供するために含まれる。タイミング制御回路５６０は、サンプリングユニット、特にサンプリング段階５４４と５４６の動作を制御する、クロックパルス５６２も生じさせる。トリガ信号５６１及びクロックパルス５６２は、例えばクロック回路であってよい共通のタイミングソース５６４によって生成される。トリガ信号５６１は、トリガ出力５６６でタップされてよく、オシロスコープ５６８のトリガに送られる。信号出力５５２は、次に、好ましくは記憶装置オシロスコープであり、ディスプレイ５７０上で見られるオシロスコープ５６８の信号入力に送ることができる。ラスタ回路５７２ａは、二次元ディスプレイを生成するためにオシロスコープに送信できるラスタ信号を生成するために設けられてよい。追加のゲート５７５と５７７は、図２に示されるようにタイミング制御回路に含まれている。
【００４１】
本例のクロックパルスは０．５ＭＨｚという周波数であり、交互位相タイプである。つまり、ある波列(wave train)が１つの位相５６２ａで生成され、別の波列が１８０°の移相で生成される。タイミング制御回路は、クロック位相が光学ソース１８へのトリガパルスごとに交替し、二次元ディスプレイを生成するためにラスタジェネレータを同期するようにも構成される。二次元表現により、ファイバの各位置からの後方散乱信号の時間−進化を、記憶装置オシロスコープ５６８のディスプレイ５７０で観察できるようになる。デジタル電子とアナログ電子は、別々の、調整され、減結合された電源（図３では、下向きの矢印が接地又は負の供給レールへの接続を示すが、上向きの矢印が正の供給レールへの接続を示す）を使用した。
【００４２】
さらに詳細には、サンプリングユニット５４２は、入力信号（つまりＯＴＤＲ信号又は電気ドメイン内の干渉信号に同等な信号）のコピーを生成するための、単純な「Ｔ」コネクタであるであろうコピー段階５７２を含む。サンプリング段階５４４は、２つのサンプリング増幅器Ａ、Ｂを有し、それぞれのパルスユニット５７４、５７６によってサンプリングするようにそれぞれがトリガされ、パルスユニットはタイミング制御回路５６０からのクロックパルスを与えられる。コピーＡとＢはそれぞれ増幅器Ａ、Ｂに入り、それぞれの控えめの時間(discreet-time)パルス振幅コピーが生成される。パルスユニット５７４、５７６は、２つのコピー（ＡとＢ）のサンプリング例が、範囲分解能間隔、ここでは１マイクロ秒でオフセットされるように構成される。サンプリング増幅器Ａ、Ｂからの信号は、次に、それぞれ位置合わせ段階５４６の追加のサンプリング増幅器Ａ’及びＢ’に渡され、これらのサンプルは次に再サンプリングされる。
【００４３】
追加のサンプリング増幅器Ａ’、Ｂ’又は同等にサンプリングするゲートは、それぞれのパルスユニット５７８、５７９によってトリガされる（パルスユニット５７８、５７９は、タイミング制御ユニット５６０からのクロックパルスで駆動されている）。追加の増幅器Ａ’、Ｂ’は、Ａコピーの再サンプリングされた信号がＢコピーのサンプリングされた信号に先行するように（パルスユニット５７８、５７９のタイミングを通して）動作される。これは、Ａサンプルは、Ｂ信号にただちに先行する範囲分解能セルから生じることを意味する。この再サンプリング戦略の結果、サンプリングポイントは（光学ソースによってファイバリンク１６の上に当初送信されたパルスは、持続時間が１マイクロ秒であると想定して）２マイクロ秒というステップサイズであるが、ファイバリンク１６（１マイクロ秒に相当する距離分、分離される）に沿って「歩行する(walk)」。
【００４４】
比較段階５４８は、二回サンプリングされた信号ＡとＢの間の差異を評価するための差動増幅器５４９を含む。つまり、差動増幅器の出力はＡ−Ｂに関する出力を示す。ＡトレースとＢトレースは比較される前に再調整されるため、信号の時間依存性の傾き又は勾配に関する値が得られると考えられてよい。事実上、時間依存サンプリングされた信号は区別される。つまり、（サンプルは、必ずしも即座に隣接するサンプルである必要はないが）隣接するサンプル間の差異が評価される。
【００４５】
受光器５１は図４にさらに詳細に示されている。カプラ２８からの光は、可変利得電流帰還増幅器７０６に送られる前に、ここではバッファとしての役割を果たすバイポーラトランジスタ７０４に送られる電気出力を生じさせるＰＩＮ−ＦＥＴである、フォトトランジスタ７０２に入射する。図５ａでは、好ましい光学ソース１８がさらに詳しく示されている。（干渉計段階を通した）リンク１６への伝送のための光はファブリーぺロレーザ７１０によって生成される。タイミング制御回路５６０からのトリガ信号５６１は、トリガ信号が受信されるたびにパルスを生成する単安定パルス発生ユニット７１２で受信され、このパルスは、レーザ７１０を駆動するためにブースタ増幅器７１４によって増幅される。図５ｂは、ＤＦＢレーザが使用される代替策を示す。しかしながら、ＤＦＢレーザがコヒーレンス雑音、及び不安定性を引き起こすことがあることが判明している。
【００４６】
図６ａ、図６ｂ及び図６ｃは、信号処理ユニット５４０の多様なポイントでのサンプリング波形を示す。図６ａは、パルス振幅変調済みのサンプリング波形ＡとＢを基準にした、規則正しい（再）サンプリングパルスの位置を示す。図６ａでは、繰り返すサンプルパルス７２０が示されている（最も濃い線）。Ｂサンプリング信号（すなわち、増幅器Ｂからの出力）はより薄い線７２４で示されているが、Ａサンプリング信号（増幅器Ａからの出力）は灰色の線７２２で示される。「Ａ」トレースから分かるように、後方散乱信号の振幅は、通常ＯＴＤＲで予想されるように、（光学ソースからのテストパルスの始まり以来の）経過時間が延びるにつれて減少する。「Ｂ」トレース７２４の振幅は同様に経過時間とともに減少するが、Ａトレースを基準にしてシフトされる。
【００４７】
図６ｂでは、再サンプリングされた信号ＡとＢ（つまり、サンプリング増幅器Ａ’とＢ’からの出力）が示され、Ｂサンプルはより薄いトレース７２８であるが、Ａサンプルは濃いトレース７２６である。２つの信号は再サンプリングされたため、前述されるように、これらはここで位置合わせされる。Ａ再サンプリング信号とＢ再サンプリング信号の差異（つまり、比較段階５４８からの出力（Ａ−Ｂ））は、薄い方のトレース７３０によって示されている。このトレースでの外乱を示す明白な特長はないが、図６ｃの（Ａ−Ｂ）トレースは、明らかに約１６５マイクロ秒（曲線ＡとＢの階段状変化に相当する時間）で特長を示している。図６ｂと図６ｃのトレース間の差異は、サンプリング増幅器を駆動するクロック信号が図６ｂでゼロ移相を有するが、図６ｃでは１８０度の移相を有するという点である。これは、１つの位相でのクロック信号で第１の（Ａ−Ｂ）トレース、及び１８０°オフセットされた位相でのクロックでの別の（Ａ−Ｂ）トレースを生成することによって、１つのトレースでのサンプリングセルの間のギャップが、１セル長分、シフトされるセル内でサンプリングすることにより、どのようにして効果的に削除できるのかを描いている。このようにして、本実施形態の分解能は、１００メートルの長さに相当する１マイクロ秒である。したがって、分解能長は光学ソース１８からのテスト信号のパルス長に同等である。
【００４８】
データ伝送光リンクの検知
図３は、図１の光ファイバ又は他の伝送リンク１６が、どのようにして波長分割多重様式でデータを伝送できるかを示している。伝送リンク１６は、伝送リンクの検知部分１６１につながる結合ファイバ１６０によってコネクタ１６２で監視ステーション１２に結合される。（監視側から離れた）リンク１６の出力端で第２の波長カプラ１６６が設けられる一方、結合ファイバ１６０からの放射線はリンク１６の入力端（つまり、監視側）で第１の波長カプラ１６４によってリンク１６の中に導入され、その結果リンク１６からの光は終端ファイバ１７０の端部に位置する端部反射器１６８に結合することができ、終端ファイバ１７０は、第２の波長カプラ１６６を反射器１６８に接続する。送信機ステーション１７２と受信機ステーション１７４は、それぞれ第１の波長カプラと第２の波長カプラ１６４、１６６に接続される。
【００４９】
監視ステーション１２からの放射線はファイバリンク１６上を別の波長で伝送され、送信機ステーション１７２及び監視ステーション１２からの放射線はリンク１６内の共通のファイバ又は媒質上で送信される一方、波長カプラ１６４、１６６は、波長分割多重化技法を使用して、データを、ある波長で送信機ステーションと受信機ステーション１７２、１７４の間のリンク１６上で送信できるようにそれぞれ構成されている。
【００５０】
第２の波長カプラ１６６では、ソース１８の波長での光はリンク１６から、反射器１６８での反射時に放射線が反射され、監視ステーションへの帰還伝送のためにリンク１６に戻される終端ファイバ１７０に向けられる。（結合ファイバ１６０、ファイバリンク１６、及び終端ファイバ１７０によって形成されたファイバ経路に沿った外乱が検出されることがあるが）このようにして、通信に不当に影響を及ぼすことなくリンクが監視されているが、通信はリンク１６に沿って発生し得る。代替実施形態では、干渉計２０から信号ストリームが開始される結合ファイバは好ましくは単一ファイバであるが、通信リンク１６は複数の光ファイバを有するケーブルである。このような状況では、結合ファイバ１６０はリンク１６の伝送ファイバの内の１本に結合されるに過ぎず、そのファイバは反射器１６８に対向する端部で結合される。したがって、送信ステーション１７２と受信ステーション１７４の間の信号は依然として他の伝送ファイバ上で伝送でき、監視されているファイバでの外乱はケーブルにおける外乱を示している。
【００５１】
前記説明から分かるように、通信のために使用されているファイバは、通信トラフィックがファイバによって伝送されている間に監視できる。ファイバ上で盗聴を試みる人物はファイバを取り扱うことによって物理的かく乱を引き起こす可能性が高い。外乱が発生すると、外乱のファイバに沿った位置が評価でき、盗聴者の位置を突き止めることができる。したがって、データ伝送に安全な伝送路を提供することが可能である。
【００５２】
理論上の詳細
以下は、スカラー干渉計ＯＴＤＲ理論に少なくとも部分的に基づいて、前記実施形態の少なくともいくつかの態様の背景にある理論を説明している。外乱位置情報を示す目的で分散レイリー後方散乱信号を励起するために、パルス化されたプローブ信号を使用する干渉計ＯＴＤＲの理論上の動作がやや関係している。問題は、最初に個別の反射器及び連続波励磁信号を考慮することにより最もよく理解される。
【００５３】
形式
【数１】
2007530970.tif 000003
【００５４】
の「ポイント」外乱の場合。ｃｗ励磁の元で、センサの出力での「ａｃ」項が以下によって与えられることを示すことができる。
【数２】
2007530970.tif 000004
【００５５】
ここでは、Ｔは試験中のファイバの開始からの反射ポイントの飛行時間であり、τは外乱のポイントまでの飛行時間である。Ｄは干渉計の不均衡な遅延である。
【００５６】
形式
【数３】
2007530970.tif 000005
【００５７】
のシヌソイド変調外乱を考慮する場合には、方程式（１）は以下になる。
【数４】
2007530970.tif 000006
【００５８】
また、以下の形式にすることができる。
【数５】
2007530970.tif 000007
【００５９】
これは角度変化のための古典的な結果であり、第１の種類のベッセル関数を使用して評価できる。角度変化深さＲ２は、外乱の振幅ａ、位置τ、及び周波数ωｍの関数であり、以下によって示される。
【数６】
2007530970.tif 000008
【００６０】
（２ｃ）から、変化深さは時間と周波数．．．の以下の点での最小と最大を経る結果になる。
【数７】
2007530970.tif 000009
【００６１】
ここではｎは範囲［−∞，∞］の中の整数である。
【００６２】
図７ａ、図７ｂは、特に４ａ＝１、Ｄ＝２５ｋｍ（遅延線は好ましくは少なくとも２０ｋｍとなるであろう）、Ｔ−τ＝２Ｄ及びｆｍ＝０．８ｋＨｚの場合に、変調周波数、干渉計遅延Ｄ、及び相対外乱ロケーション（Ｔ−τ）／Ｄの多様な値のための方程式（２ｃ）の例のプロットを示す。図７ａは、センサの応答、つまりその感度が、事実上、外乱周波数の関数として、どのように外乱に対するファイバの非線形応答の影響を示すのかを示している。トレースＡは低振幅外乱の場合であり、トレースＢは高振幅外乱の場合である。
【００６３】
パルス化プローブ信号：ＯＴＤＲ手法を調べる簡単な方法は、ここで、ファイバを、各反射がＯＴＤＲ範囲分解能セル内に位置するｎ個の分散された反射を備えると見なすことである。セルサイズはＯＴＤＲプローブパルス（τｗ）の持続時間によって定義され、通常は（〜１００ｍ分解能に対応する）１μｓである。各セルから反射された信号の振幅と位相は（セルへの／セルからの）ファイバ減衰の関数であり、成分散乱のアンサンブル平均のその中に集まる。
【００６４】
各セルはここで前述された別々の反射の役割を引き受け、したがってＴを定義する。事実上、ＴはポイントＴｉの集合の形を取り、ｉ＝１からｎである。
【００６５】
ＯＴＤＲパルスプローブ信号
【数８】
2007530970.tif 000010
【００６６】
によって記述される励磁信号を導入するのであれば、結果として生じる信号の定式化はここで方程式（１）から導出できる。
【数９】
2007530970.tif 000011
【００６７】
ここでは、ｚｉａｃ（ｔ）はセルｉからの信号のａｃ成分であり、
【数１０】
2007530970.tif 000012
【００６８】
は、ＯＴＤＲプローブパルスとｉ番目の範囲分解能セルの間の畳み込みである。
【００６９】
注記すべき重要な点は、ｉ番目のセルの中の散乱した信号からの無作為位相成分が検出プロセス（方程式４の｜｜２演算子）で失われるため、それが結果を減じないという点である。
【００７０】
したがって、方程式（４）は、ＯＴＤＲで結果として生じる信号が、方程式（１）と（２）のより単純な定式化を使用して解釈できることを示している。しかしながら、ＯＴＤＲトレースでのそれぞれの分解可能なポイントでの信号は、Ｔｉの適切な値をこれらの方程式に代入することにより求められる。信号の振幅はインコヒーレントな(incoherent)ＯＴＤＲシグネチャの特徴的な指数関数的減衰によっても修正される。
【００７１】
この単純なモデルは実際的な実験で見られるＯＴＤＲトレースの形状を説明している。図８ａは、１．２５ｋＨｚの周波数での外乱が位置Ｘに位置する単発の測定されたＯＴＤＲトレースを示している（水平軸は時間であり、垂直軸は干渉計段階からの（組み合わせ）信号のレベルである）。曲線（Ａ）は、外乱の規模が小さいときの典型的な単一パルス応答を示す。パルスからパルスへ、レベルは、外乱が変化するにつれてトレースの全長に沿って上下に移動する。しかしながら、外乱振幅の増幅につれ、トレースはその長さ（曲線Ｂ）に沿った構造を示し始める。この構造はパルスからパルスへ上下に振動する（図８（ａ）は、〜Ｄ／２（Ｄ＝２５ｋｍ）の長さのテストファイバからの測定されたＯＴＤＲトレースを示す。図８（ｂ）は外乱のトーンの根本的な、及び最初の２つの奇数の（ｏｄｄ）高調波のための、外乱長分散（方程式２ｃ）の理論上の規模を示している。
【００７２】
このようにして（空間位置に対応する）時間位置Ｘでの外乱特長は、図６ａから図６ｃの例に示されているように、変化は減少であるが、この例では激しい変化、ここ干渉信号では上昇であるが、減少であってもよい。
【００７３】
長さ依存構造はモデリングによって予測される。図８ｂは、外乱の規模を拡大することによって生じるであろう奇数の調和振動数の関数として、結果として生じる変動深さ（方程式２ｃ）の規模を示す。（Ｔ−τ）／Ｄは、外乱ポイント「Ｘ」とｉ番目の散乱領域間の距離に相当する。ファイバに沿ってちょうど半分を超えたポイントで５番目の高調波で明らかにヌル(null)がある。ＯＴＤＲトレースは、理論により予測される特徴的な長さの分散変動を示す。
【００７４】
位置情報を抽出するための信号処理：図８ａのＯＴＤＲトレースは、ポイント外乱でさえ後方散乱シグネチャに沿って分散特長を生じさせることがあることを示している。しかしながら、重要な点は、外乱が発生するポイントでのシグネチャには常に突然の変化があるという点である。図６ｂ及び図６ｃにこれを示している。これらのリアルタイムアナログ後方散乱信号は、ＯＴＤＲ範囲解像度（この場合には〜１μｓ）により決定される精度で外乱の始まりを配置できることを示している。したがって、信号処理システムは、２つの近接する範囲分解能セル（Ａ）と（Ｂ）からの信号を比較することによってこれらの特長を探すように設計される。それらの間の差異を実行することによって、図８ａに示されたさらにゆっくりとした構造が消える（近接セルは、それらの間に位置する外乱がない限り相関しない）。したがって、原則的には、いかなる数の同時外乱もこの技法によって位置を突き止めることができる。
【００７５】
ウィンドウ検出器（図２）は、ＯＴＤＲトレース上でレンジマーカ（又はブライトアップスポット）を生じさせるために特定の規模を超える（Ａ−Ｂ）特長を選択するために使用できる。同様に、外乱の二次元「テレビ状ピクチャ」は形成できる。この場合、ｘ方向はファイバに沿った距離に対応し、ｙ方向は範囲分解能セルごとの外乱時間履歴に対応し、ｚ変動はウィンドウ検出器出力によって駆動される。
【００７６】
移動する車両の位置の検知
車両の位置を検知するため検知システム３００は図９に示されている（前記図に関する類似する構成要素は類似する符号を有する）。ここでは、光ファイバケーブル１６（伝送リンク）は、線路に沿って移動する列車３０４の位置を検知するために線路３０２に沿って延在する。ファイバケーブル１６は一般的に線路３０２に平行な方向で延在し、好ましくは地中に、又は線路近傍のダクト内に埋設される。
【００７７】
一端では、ファイバケーブル１６は、ファイバケーブル１６の物理的かく乱、特に動的外乱を監視するために、（図１に示されているもののような）監視ステーション１２という形で監視装置に結合される。ファイバケーブルは、ファイバケーブル１６中で動的外乱を引き起こすために、電車３０４の移動のための線路３０２に十分に近くに敷設され、その動的外乱は監視ステーション１２で検知できる。列車により引き起こされる外乱は概して列車３０４に局所的となり、列車の移動外乱が、列車の速度に相当する速度でケーブル１６に沿って移動する動的外乱を引き起こす結果となる。このようにしてファイバは、空間的に連続した様式での車両の移動を監視するセンサとしての機能を果たすことができる。
【００７８】
ファイバケーブル１６は、線路３０２の側部に沿って敷設され、ファイバケーブル１６に到達するために地面を通って伝播する列車により生じた外乱のために、線路に十分近く、地下に又は既存のダクト内に埋設されてよい。ファイバケーブルは線路の下に敷設されてよいが、好ましくは、線路から１ｍの距離等、線路に隣接して敷設されるであろう。代わりに、線路のレールに沿って延在する穴又は溝が、ファイバケーブル１６を受け入れるために設けられてよく、ファイバケーブル１６はこのような穴又は溝に沿って延在する。一実施形態では、線路に沿った既存のダクトがケーブルを収容するために便利に使用されてよい。
【００７９】
明らかに、ファイバケーブル１６の移動する列車に対する感度は、ファイバ（又はダクト）と線路の間の距離、地面と土壌の状態、ケーブル特性等の、局所的な環境に依存する。したがって、システムの感度は全長ファイバ１６に沿って一定ではない可能性がある。
【００８０】
監視ステーション１１２は第１のファイバの端部を基準にして対向する端部に結合されるが、追加のファイバケーブル１１６は、第１のファイバ１６に対するのと類似するように線路に沿って経路選択されてよい。したがって、列車が一方の監視ステーションから遠いとき、列車は他方の監視ステーションにより近くなる。一般的には任意の１本のファイバに沿った感度は、そのファイバのための監視ステーションからの距離が拡大するにつれ減少するため、これにより全体としてのシステムの感度は改善される。
【００８１】
ファイバ１６と線路の間の機械的な結合を高めるために、ファイバは１つ以上のポイントで横断方向で線路の下に敷設されてよい。好ましくはファイバ経路は、図１０に示されているように線路の下に敷設された１つ以上のＵ字形の部分を有し、それによって互いに近い２つのポイントで横断方向で線路を交差する（複数のＵ字形の部分が線路の下に延在する場合、監視ステーションの空間的な分解能は、近接するＵ字形部分からの外乱が互いから区別できるように選ばれる）。
【００８２】
複数のＵ字形の部分は、例えばステーション３０６の近傍で左右の配列で配置されてよく、ファイバはＵ字形の部分の間の線路に概して平行に延在する。ステーション領域から離れて、ファイバは概して線路に平行に並んで延在する。
【００８３】
代わりに、図１１に示されるように、線路に平行に延在する第２のファイバ１１６はステーション間の列車の位置を検知するために使用されてよいが、第１のファイバ１６は、ステーション領域での使用のために複数のＵ字形状の部分として配置されてよい。
【００８４】
通常、ファイバケーブルは、ステーション間の線路に概して平行な方向で、通常は１ｋｍ以上の距離、好ましくは１０ｋｍ、延在し、その結果ファイバは少なくとも１ｋｍ、あるいは１０ｋｍもの概して連続する距離での移動を検知できる。明らかに、センサシステムは概して連続的な距離よりも小さい分解能で位置を決定することができ、分解能は、光パルスの持続時間と列車又は他の車両から検出可能な外乱の伝播の範囲によって決定される。横断方向の部分が、ファイバの概して平行な部分の間に設けられても、好ましくは、少なくとも１ｋｍ、好ましくは１０ｋｍ延在する、少なくとも１つの概して平行な部分が設けられるであろう。
【００８５】
したがって、本実施形態により、１組の信号コピーの位相差を、干渉信号を形成するために結合でき、その結果外乱により引き起こされるファイバ内の時間変化する位相変化が、信号組（一方が他方の後を追う）の間の位相差を生じさせ、その位相差が干渉信号の中の振幅の変化に変換できることが分かる。
【００８６】
まとめると、前記実施形態では、一連の低コヒーレンステストパルスが光リンクの中に入れられ、後方散乱帰還信号が監視される、光時間領域反射率測定法が使用される。テストパルスは不均衡マッハツェンダー干渉計を通過し、テストパルスごとに、１組の時間変位されたパルスコピーがリンクの上に開始される結果となる。後方散乱帰還信号は同じ干渉計を通過し、各組のパルスコピーに再調整させ、互いに干渉させる。時間変化外乱は、１組の各パルスコピーに異なる影響を及ぼす可能性がある。その結果、ステップ等の異常が後方散乱信号で発生する可能性がある。異常の時間位置から、関与する外乱の距離が評価される。
【図面の簡単な説明】
【００８７】
【図１】本発明による、伝送リンクと光検知システムを示す図である。
【図２】図１のシステムとともに使用するための信号処理回路を示す図である。
【図３】図１のリンクの上にどのようにしてデータを多重化できるのかを示す図である。
【図４】受光器回路を示す図である。
【図５ａ】光学ソース回路を示す図である。
【図５ｂ】あまり好ましくない別の光学ソース回路を示す図である。
【図６ａ】サンプル帰還信号の測定されたトレースを示す図である。
【図６ｂ】サンプル帰還信号の測定されたトレースを示す図である。
【図６ｃ】サンプル帰還信号の測定されたトレースを示す図である。
【図７ａ】理論上の曲線を示す図である。
【図７ｂ】理論上の曲線を示す図である。
【図８ａ】測定された帰還信号を示す図である。
【図８ｂ】複数の理論上の曲線を示す図である。
【図９】第１の実施形態で列車の位置がどのようにして検知できるかを示す図である。
【図１０】第２の実施形態で列車の位置がどのようにして検知できるかを示す図である。
【図１１】第３の実施形態で列車の位置がどのようにして検知できるかを示す図である。
【図１】
2007530970.tif 000013
【図２】
2007530970.tif 000014
【図３】
2007530970.tif 000015
【図４】
2007530970.tif 000016
【図５ａ】
2007530970.tif 000017
【図５ｂ】
2007530970.tif 000018
【図６ａ】
2007530970.tif 000019
【図６ｂ】
2007530970.tif 000020
【図６ｃ】
2007530970.tif 000021
【図７ａ】
2007530970.tif 000022
【図７ｂ】
2007530970.tif 000023
【図８ａ】
2007530970.tif 000024
【図８ｂ】
2007530970.tif 000025
【図９】
2007530970.tif 000026
【図１０】
2007530970.tif 000027
【図１１】
2007530970.tif 000028
【国際調査報告】
2007530970.tif 000029
2007530970.tif 000030
2007530970.tif 000031